(57)【要約】      （修正有）【課題】老人や幼児でも円滑で開閉操作が簡単である上、狭少なスペースにも好適に設置する事ができる折り畳み扉を提供する。【解決手段】吊元ヒンジ１２を介して回転自在に支持する吊元扉１１と、吊元ヒンジに向けて直線移動する案内扉３１と、吊元扉１１，案内扉３１に屈曲可能に連結し、吊元扉１１に折り重ね可能な中間扉２１と、吊元扉１１，中間扉２１の間に設ける駆動機構４０とを備えてなり、駆動機構４０は案内扉３１を吊元ヒンジ１２に向けて後退させると、吊元扉１１、中間扉２１を屈曲方向に駆動することを特徴とする。【選択図】  図１
2004324155.tif 000002
【特許請求の範囲】
【請求項１】
吊元ヒンジを介して回転自在に支持する吊元扉と、前記吊元ヒンジに向けて直線移動する吊り戸式の案内扉と、前記吊元扉、案内扉に屈曲可能に連結し、前記吊元扉に折重ね可能な中間扉と、前記吊元扉、中間扉の間に設ける駆動機構とを備えてなり、該駆動機構は、前記案内扉を前記吊元ヒンジに向けて後退させると、前記吊元扉、中間扉を屈曲方向に駆動することを特徴とする折畳み扉。
【請求項２】
前記駆動機構は、前記吊元扉、中間扉を斜めに連結する連結部材と、前記吊元扉、中間扉のいずれか一方に付設する駆動部材とを備え、該駆動部材は、前記連結部材の回転に連動して前記吊元扉、中間扉を駆動することを特徴とする請求項１記載の折畳み扉。
【請求項３】
前記駆動機構は、前記吊元扉、中間扉を斜めに連結するシール部材と、該シール部材に連動する連結部材と、前記吊元扉、中間扉のいずれか一方に付設する駆動部材とを備え、該駆動部材は、前記連結部材の回転に連動して前記吊元扉、中間扉を駆動することを特徴とする請求項１記載の折畳み扉。
【請求項４】
前記連結部材には、上枠に係合して前記吊元扉、中間扉を閉鎖状態にロックするフックを形成することを特徴とする請求項２または請求項３記載の折畳み扉。
【請求項５】
前記駆動部材は、前記吊元扉、中間扉のいずれか一方の上端面に水平回転可能に装着するレバー材であることを特徴とする請求項２ないし請求項４のいずれか記載の折畳み扉。
【発明の詳細な説明】
【０００１】
【発明の属する技術分野】
この発明は、開閉操作が簡単であり、狭少なスペースにも好適に設置し得る折畳み扉に関する。
【０００２】
【従来の技術】
折畳み扉は、一般に戸袋を要しないので、トイレや、風呂場などの狭少なスペースに対し、好適に適用することができる。
【０００３】
従来の折畳み扉は、１枚の吊元扉と、１枚以上の手先扉とを屈曲自在に連結して構成されている。各手先扉は、それぞれの幅方向の中間位置において回転自在に吊下されており、吊元扉は、各手先扉の半幅に形成されている。そこで、このものは、先頭の手先扉を吊元側に駆動すると、各手先扉が中間位置の吊下点を中心にして順次逆方向に回転し、吊元扉、各手先扉を吊元側に折り畳むようにして開口部を開くことができる。
【０００４】
【発明が解決しようとする課題】
かかる従来技術によるときは、各手先扉は、開口部を開く際に、開口部の両側、すなわち室内側、室外側の双方に半幅ずつ突出するようにして折り畳まれるから、開口部の両側に開閉用のデッドスペースを生じ、狭少なスペースに設置することができない場合がある上、開放操作の際の操作部となる先頭の手先扉も、開放操作の開始とともに回転し始めるため、操作に異和感があり、老人や幼児などによる円滑な開閉操作が難しいという問題があった。
【０００５】
そこで、この発明の目的は、かかる従来技術の問題に鑑み、吊元扉、中間扉の先端に直線移動する案内扉を連結するとともに、吊元扉、中間扉の間に駆動機構を設けることによって、開閉操作が簡単である上、狭少なスペースにも好適に設置することができる折畳み扉を提供することにある。
【０００６】
【課題を解決するための手段】
かかる目的を達成するためのこの発明の構成は、吊元ヒンジを介して回転自在に支持する吊元扉と、吊元ヒンジに向けて直線移動する吊り戸式の案内扉と、吊元扉、案内扉に屈曲可能に連結し、吊元扉に折重ね可能な中間扉と、吊元扉、中間扉の間に設ける駆動機構とを備えてなり、駆動機構は、案内扉を吊元ヒンジに向けて後退させると、吊元扉、中間扉を屈曲方向に駆動することをその要旨とする。
【０００７】
なお、駆動機構は、吊元扉、中間扉を斜めに連結する連結部材と、吊元扉、中間扉のいずれか一方に付設する駆動部材とを備え、駆動部材は、連結部材の回転に連動して吊元扉、中間扉を駆動することができる。
【０００８】
また、駆動機構は、吊元扉、中間扉を斜めに連結するシール部材と、シール部材に連動する連結部材と、吊元扉、中間扉のいずれか一方に付設する駆動部材とを備え、駆動部材は、連結部材の回転に連動して吊元扉、中間扉を駆動することができる。
【０００９】
なお、連結部材には、上枠に係合して吊元扉、中間扉を閉鎖状態にロックするフックを形成してもよく、駆動部材は、吊元扉、中間扉のいずれか一方の上端面に水平回転可能に装着するレバー材としてもよい。
【００１０】
【作用】
かかる発明の構成によるときは、中間扉の先端（手先側）の案内扉は、開閉操作時に回転することがなく、したがって、案内扉を操作部とする開閉操作は、引き戸のそれと実質的に変わることがない。また、吊元扉、中間扉は、案内扉を吊元ヒンジに向けて後退させると、駆動機構を介して屈曲方向に駆動され、室内側または室外側の一方向に円滑に屈曲させられるため、開放操作の初期において案内扉に加えるべき操作力を最小にすることができる。なお、吊元扉、中間扉は、開放時に室内側または室外側の一方向にのみ突出するように屈曲して折り重ねられるため、開口部の両側に開閉用のデッドスペースを生じることもない。ただし、案内扉は、吊元ヒンジに向けて後退させて開口部を開いても、開口部と平行に開口部の一部を閉じて静止する。そこで、案内扉は、前後に円滑に直線運動し得る限り、その幅を最小にすることが好ましく、実質的に単なる開閉操作用の竪框相当の部材であってもよいものとする。
【００１１】
吊元扉、中間扉を斜めに連結する連結部材は、案内扉を吊元ヒンジに向けて後退させて中間扉を吊元扉に近付けると、それ自体が水平回転することにより、吊元扉、中間扉を屈曲させるように駆動部材を駆動することができる。駆動部材は、連結部材の回転に連動するからである。
【００１２】
連結部材を連動させるシール部材は、吊元扉、中間扉の間の隙間をシールすることができる。なお、このときの連結部材は、シール部材とともに吊元扉、中間扉を斜めに連結してもよく、シール部材に一体に付設することにより、シール部材の回転に連動して水平回転し、駆動部材を介して吊元扉、中間扉を駆動してもよい。
【００１３】
連結部材に形成するフックは、上枠に係合して吊元扉、中間扉を平面状の閉鎖状態にロックする。ただし、フックは、案内扉を吊元ヒンジに向けて開放操作すると、連結部材が水平回転して上枠との係合が外れ、ロックを自動的に解除することができる。
【００１４】
駆動部材は、吊元扉、中間扉のいずれか一方の上端面に装着するレバー材とすることにより、連結部材の回転に連動して水平回転して先端が上枠の前面に当接し、吊元扉、中間扉を屈曲方向に駆動することができる。なお、駆動部材の先端は、ローラを介して上枠に当接させることが好ましい。
【００１５】
【発明の実施の形態】
以下、図面を以って発明の実施の形態を説明する。
【００１６】
折畳み扉は、吊元扉１１、中間扉２１、案内扉３１を順に屈曲可能に連結するとともに、吊元扉１１、中間扉２１の間に駆動機構４０を設けてなる（図１）。ただし、折畳み扉は、建物の開口部に装着する図示しない門形の戸枠内に一直線状に整列させて閉口部を閉じることができる。
【００１７】
吊元扉１１は、上下の吊元ヒンジ１２、１２を介し、戸枠の吊元側の竪枠に回転自在に支持されている。吊元扉１１の吊元側の側端面には、断面ドーム形のシール材１３の両端に同形断面のヒンジ受け１３ａ、１３ａが付設されており、各吊元ヒンジ１２は、ベアリング１２ｂを有するヒンジピン１２ａを介してヒンジ受け１３ａに連結されている。
【００１８】
吊元扉１１の手先側、中間扉２１の吊元側は、駆動機構４０の一部を構成する斜めのシール部材４１を介し、相対回転可能に連結されている（図１、図２）。すなわち、吊元扉１１の手先側、中間扉２１の吊元側には、それぞれ上下の補助板４１ａ、４１ａ、４１ｂ、４１ｂが固定されており、縦長の薄板状のシール部材４１の上端、下端は、それぞれ補助板４１ａの室内側の先端、補助板４１ｂの室外側の先端に対し、ねじ付きの連結ピン４１ｃ、４１ｃを介して連結されている。なお、連結ピン４１ｃ、４１ｃは、両側縁が断面ドーム形のシール部材４１の上端、下端に植設するようにして立設されている（図２、図３）。中間扉２１の手先側の側端面には、吊元扉１１のシール材１３、ヒンジ受け１３ａ、１３ａと同形断面のシール材２２、ヒンジ受け２２ａ、２２ａが付設されている（図１）。
【００１９】
吊り戸式の案内扉３１は、中間扉２１の手先側に固定する上下のヒンジ２３、２３を介し、中間扉２１の手先側に相対回転可能に連結されている。案内扉３１の吊元側の側端面には、シール材２２、ヒンジ受け２２ａ、２２ａと同形断面のシール材３２、ヒンジ受け３２ａ、３２ａが付設されており、各ヒンジ２３は、ベアリング付きのヒンジピン２３ａを介してヒンジ受け３２ａに連結されている。なお、案内扉３１の上端面には、ブラケット３３ａを介して２連の溝付きの吊りローラ３３、３３が装着されており、垂直回転形の吊りローラ３３、３３は、上枠内のガイドレールＧ１  に係合することにより、吊元ヒンジ１２、１２に向けて案内扉３１を前後に直線移動させることができる。
【００２０】
駆動機構４０は、シール部材４１の他、吊元扉１１上、中間扉２１上の補助板４１ａ、４１ｂを介して装着する連結部材４２、駆動部材４３を備えている（図２、図３）。
【００２１】
連結部材４２は、シール部材４１上の連結ピン４１ｃ、４１ｃ用のピン孔４２ａ、４２ａを形成するとともに、フック４２ｂ、長孔４２ｃを形成する異形の板材であり、スペーサリング４１ｄ、４１ｄを介して連結ピン４１ｃ、４１ｃをピン孔４２ａ、４２ａに挿通し、ナット４１ｅ、４１ｅを連結ピン４１ｃ、４１ｃのねじ部に装着して外れ止めされている。すなわち、連結部材４２は、シール部材４１とともに、連結ピン４１ｃ、４１ｃ、補助板４１ａ、４１ｂを介して吊元扉１１、中間扉２１を斜めに連結している。なお、フック４２ｂは、上枠Ｇの前面に形成する係合孔Ｇ２  に係合することができる。すなわち、吊元扉１１、中間扉２１が平面状に整列するとき、フック４２ｂは、室外側に突出して、長方形の係合孔Ｇ２  の手先側の先端に係合する（図２の二点鎖線）。
【００２２】
駆動部材４３は、吊元扉１１側の補助板４１ａに対し、スペーサリング４３ｂ、ワッシャ４３ｃを伴う止めねじ４３ａを介して水平回転可能に装着するレバー材である。なお、図２において、スペーサリング４３ｂは、図示が省略されている。吊元扉１１の上端面に沿って吊元側に伸びる駆動部材４３の先端には、大径の水平回転形のローラ４３ｄが上向きに装着されており、駆動部材４３の手先側の基部には、連結部材４２の長孔４２ｃに挿通するねじ付きの係合ピン４３ｅが立設されている。なお、係合ピン４３ｅは、ワッシャ４３ｆ、ナット４３ｇにより抜け止めされている。
【００２３】
折畳み扉は、吊元扉１１、中間扉２１、案内扉３１を戸枠内に一直線状に整列させることにより、建物の開口部を閉鎖することができる（図１、図４（Ａ））。このとき、案内扉３１の手先側は、戸枠の手先側の竪枠内の戸当りに当接し、連結部材４２のフック４２ｂは、室外側に突出して上枠Ｇの係合孔Ｇ２  に係合して吊元扉１１、中間扉２１を閉鎖状態にロックする。
【００２４】
一方、吊元扉１１の吊元側は、シール材１３、ヒンジ受け１３ａ、１３ａの表面が吊元側の竪枠内の図示しないシール舌片に摺接することによりシールされる。また、吊元扉１１、中間扉２１の間の隙間は、シール部材４１を介してシールされ、中間扉２１、案内扉３１の間の隙間は、前者のシール材２２、ヒンジ受け２２ａ、２２ａの頂部が後者のシール材３２、ヒンジ受け３２ａ、３２ａの頂部にほぼ接するように対向することによってシールされる。ただし、これらの各シール部分は、シール材１３、２２、３２、各ヒンジ受け１３ａ、２２ａ、３２ａがそれぞれ断面ドーム形に形成されていること、シール部材４１の両側縁が吊元扉１１、中間扉２１に近接して連結されていることにより、吊元扉１１、中間扉２１、案内扉３１が互いに任意の角度に屈曲しても、閉鎖状態と同様のシールを維持することができる。
【００２５】
閉鎖状態の折畳み扉を開放するときは、案内扉３１を吊元ヒンジ１２、１２に向けて後退させる（図４（Ａ）の矢印Ｋ１  方向）。このとき、中間扉２１は、案内扉３１に押されて吊元扉１１に近付くから、シール部材４１、連結部材４２が反時計方向に水平回転し（同図の矢印Ｋ２  方向）、フック４２ｂが係合孔Ｇ２  から外れるとともに駆動部材４３が上枠Ｇに向けて室外側に水平回転する（同図の矢印Ｋ３  方向）。駆動部材４３の基部の係合ピン４３ｅは、連結部材４２の長孔４２ｃに係合しており（図２）、駆動部材４３は、連結部材４２の回転に連動して回転するからである。そこで、駆動部材４３は、先端のローラ４３ｄを介して上枠Ｇの前面を押し（図４（Ｂ））、吊元扉１１、中間扉２１を室内側に屈曲させるように駆動することができる（同図の矢印Ｋ４  方向）。
【００２６】
案内扉３１をそのまま吊元ヒンジ１２、１２に向けて直線移動させると、吊元扉１１、中間扉２１は、さらに室内側に屈曲し（図４（Ｃ））、最終的に、中間扉２１を吊元扉１１に折り重ねるようにして（図５）、開口部を全開させることができる。なお、吊りローラ３３、３３を介して案内扉３１を吊下するガイドレールＧ１  は、吊元ヒンジ１２、１２の十分近傍にまで伸びているものとする。また、駆動部材４３のローラ４３ｄは、吊元扉１１、中間扉２１が屈曲するに従って上枠Ｇから離れる（図４（Ｃ））。
【００２７】
開放状態の折畳み扉は、案内扉３１を手先側に直線移動させることにより（図５の矢印Ｋ５  方向）、円滑に閉じることができ、最終的に、連結部材４２のフック４２ｂを上枠Ｇの係合孔Ｇ２  に自動的に係合させてロックすることができる（図４（Ａ））。なお、このとき、中間扉２１は、吊元扉１１から離れる傾向にあるため、駆動部材４３のローラ４３ｄが上枠Ｇに当接するおそれがない。また、フック４２ｂは、係合孔Ｇ２  に対して円滑に自動係合するように、外側を適切な斜めの形状に形成することが好ましい。
【００２８】
【他の実施の形態】
駆動機構４０の連結部材４２は、シール部材４１の上端の吊元扉１１側に一体に搭載することができる（図６（Ａ）、（Ｂ））。ただし、図６（Ｂ）は、同図（Ａ）のＹ矢視相当図である。図６の連結部材４２には、フック４２ｂが上枠Ｇの係合孔Ｇ２  に係合しているとき、吊元扉１１、中間扉２１を安定に固定するために、上枠Ｇの前面側に軽く摺接する扇形の規制部４２ｄが併せて形成されている。また、駆動部材４３の係合ピン４３ｅは、連結部材４２の長孔４２ｃに代えて、フック４２ｂの基部の斜面４２ｅに係合することにより、連結部材４２の回転に連動して駆動部材４３を駆動することができる（図６（Ａ）、（Ｂ）の各矢印Ｋ２  、Ｋ３  方向）。なお、図６の駆動部材４３は、先端を半円形に丸めることにより、ローラ４３ｄが省略されている。
【００２９】
中間扉２１、案内扉３１の上下の各ヒンジ受け２２ａ、３２ａは、互いに噛合するギヤとして形成してもよい（図７）。ただし、図７には、上のヒンジ受け２２ａ、３２ａが図示されており、ヒンジ２３は、ヒンジ受け２２ａ、３２ａの軸心を回転自在に連結するリンク片となっている。上下の各ヒンジ受け２２ａ、３２ａは、中間扉２１、案内扉３１が相対回転しても、両者を正しく鉛直面内に維持することができる。
【００３０】
案内扉３１は、図１、図８（Ａ）に示すように、垂直回転形の溝付きの吊りローラ３３、３３と、外れ止めＧ１ａ付きの片吊り形のガイドレールＧ１  とを組み合わせて吊下するに代えて、下向きに開く箱形のガイドレールＧ１  に水平回転形のつば付きの吊りローラ３４、またはローラ３５ａ、３５ａ付きのランナ３５を収納して、前後に直線移動可能に吊下してもよい（図８（Ｂ）、（Ｃ））。なお、吊りローラ３４の軸３４ａ、ランナ３５の吊りボルト３５ｂは、それぞれ案内扉３１の上端面に立設されている。ただし、吊りローラ３４、ランナ３５は、それぞれ案内扉３１を正しく前後に直線移動可能とするために、それぞれ紙面に垂直方向に２組を設けるものとする。
【００３１】
また、案内扉３１は、左右２列のボール３６ａ、３６ａ…を有するスライダユニット３６と、それに適合するガイドレールＧ１  とを組み合わせて吊下してもよい（同図（Ｄ））。なお、スライダユニット３６は、紙面に垂直方向に十分長く形成するものとする。各列のボール３６ａ、３６ａ…は、下向きの櫛歯状のセパレータプレート３６ｂを介して、紙面に垂直方向に互いに分離して配列されており、スライダユニット３６は、ブラケット３６ｃを介して案内扉３１の上端面に連結されている。
【００３２】
以上の説明において、駆動部材４３は、吊元扉１１の上端面に付設するに代えて、中間扉２１の上端面に付設してもよい。ただし、このときの連結部材４２は、折畳み扉の開放操作時に中間扉２１が吊元扉１１に近付くと、時計方向に水平回転してフック４２ｂを上枠Ｇの係合孔Ｇ２  の吊元側に係合させるとともに、駆動部材４３を上枠Ｇに向けて水平回転させるものとする。すなわち、図２、図６において、連結部材４２を回転させるシール部材４１は、吊元扉１１の手先側の室外側、中間扉２１の吊元側の室内側に回転自在に連結すればよい。そこで、駆動部材４３は、吊元扉１１、中間扉２１のいずれか一方に付設することができる。
【００３３】
また、連結部材４２は、シール部材４１に連動させることなく、中間扉２１が吊元扉１１に近付くことにより、独自に水平回転するように構成してもよい。たとえば図２、図３において、連結部材４２用の連結ピン４１ｃ、４１ｃを補助板４１ａ、４１ｂ上に立設し、シール部材４１は、弾性材からなる縦長の平板状の２部材に分割して吊元扉１１、中間扉２１の各側端面に立設することができる。２部材は、吊元扉１１、中間扉２１がほぼ平面状に配列されているとき、互いに摺動しながら平行移動することにより、吊元扉１１、中間扉２１の間隔の大小に拘らず両者間の隙間をシールし、吊元扉１１、中間扉２１が屈曲すると、互いに分離するように作動する。
【００３４】
なお、吊元扉１１、中間扉２１は、室内側に屈曲させるに代えて、室外側に屈曲させて折畳み扉を開放してもよい。
【００３５】
【発明の効果】
以上説明したように、この発明によれば、吊元扉、中間扉の先端に直線移動する案内扉を連結するとともに、吊元扉、中間扉の間に駆動機構を設けることによって、駆動機構は、開放操作の初期において、吊元扉、中間扉を屈曲方向に駆動することができるから、極めて軽快な開放操作を実現することができる上、案内扉が回転せず、吊元扉、中間扉が室内側または室外側の一方向にしか突出しないから、開閉操作が簡単であり、狭少なスペースにも好適に設置することができるという優れた効果がある。
【図面の簡単な説明】
【図１】全体構成分解斜視図
【図２】要部拡大分解斜視図
【図３】図２のＸ矢視相当図
【図４】動作説明図（１）
【図５】動作説明図（２）
【図６】他の実施の形態を示す要部構成説明図（１）
【図７】他の実施の形態を示す要部拡大斜視図
【図８】他の実施の形態を示す要部構成説明図（２）
【符号の説明】
Ｇ…上枠
１１…吊元扉
１２…吊元ヒンジ
２１…中間扉
３１…案内扉
４０…駆動機構
４１…シール部材
４２…連結部材
４２ｂ…フック
４３…駆動部材
【図１】
2004324155.tif 000003
【図２】
2004324155.tif 000004
【図３】
2004324155.tif 000005
【図４】
2004324155.tif 000006
【図５】
2004324155.tif 000007
【図６】
2004324155.tif 000008
【図７】
2004324155.tif 000009
【図８】
2004324155.tif 000010